(57)【特許請求の範囲】
【請求項１】
複数の外部機器が接続され、前記外部機器から受信したコンテンツ情報を記録するコンテンツ記録部を備え、前記外部機器からの要求に対し前記記録部に記録されたコンテンツ情報を当該外部機器へ出力するＡＶサーバ装置において、
前記外部機器が接続される少なくとも２以上の著作権保護認証機能を有する異なる通信インターフェースを有し、
前記外部機器から受信したコンテンツ情報の記録の際に、受信したコンテンツ情報及び当該外部機器情報に基づいて、受信したコンテンツと、少なくとも当該コンテンツの記録元の通信インターフェースの規格情報、著作権保護情報の有無、著作権保護がある場合その認証方法（ＤＲＭ）とを含む属性情報を記録し、前記外部機器からの再生要求に対しては、当該外部機器情報から抽出した通信インターフェースの規格情報、著作権保護の認証方法（ＤＲＭ）と、再生するコンテンツに係る前記属性情報に基づいて再生の可否を判定する制御部を有し、
前記両者の通信インターフェースの規格情報において再生出力可能であり、著作権保護がある場合には、さらに著作権保護認証が成功した場合に再生出力することを特徴とするＡＶサーバ装置。
【請求項２】
コンテンツの送受信の際に、前記制御部からの指示に応じて、受信したコンテンツおよび送信するコンテンツのフォーマットを変換するフォーマット変換部をさらに備えることを特徴とする請求項１の記載のＡＶサーバ装置。
【請求項３】
前記フォーマット変換部は、送信するコンテンツを出力要求機器が受信できるフォーマットに変換することを特徴とする請求項２に記載のＡＶサーバ装置。
【請求項４】
前記フォーマット変換部は、前記制御部からの指示に応じて出力先の伝送帯域に合わせてレート変換を行う機能を併せ持っていることを特徴とする請求項２又は３に記載のＡＶサーバ装置。
【請求項５】
前記２以上の通信インターフェースはＩＥＥＥ１３９４規格及びにＤＬＮＡ規格に準拠したものであることを特徴とする請求項１〜４のいずれかに記載のＡＶサーバ装置。
【請求項６】
前記外部機器から受信したコンテンツのフォーマットがＭＰＥＧ２−ＴＳの場合、直接前記コンテンツ記録部に記録することを特徴とする請求項１〜５のいずれかに記載のＡＶサーバ装置。
【請求項７】
前記外部機器から受信したコンテンツのフォーマットがＭＰＥＧ２−ＴＳの場合、前記フォーマット変換部において所定のフォーマットに変換してから前記コンテンツ記録部に記録することを特徴とする請求項１〜５のいずれかに記載のＡＶサーバ装置。
【請求項８】
前記外部機器から受信したコンテンツのフォーマットがＭＰＥＧ２−ＴＳ以外の場合、直接前記コンテンツ記録部に記録することを特徴とする請求項１〜５のいずれかに記載のＡＶサーバ装置。
【請求項９】
前記外部機器から受信したコンテンツのフォーマットがＭＰＥＧ２−ＴＳ以外の場合は、前記フォーマット変換部において所定のフォーマットに変換してから前記コンテンツ記録部に記録することを特徴とする請求項１〜５のいずれかに記載のＡＶサーバ装置。
【請求項１０】
外部機器が接続される通信インターフェースとして、さらにＵＳＢ規格、ＩＤＥ／ＡＴＡ規格、シリアルＡＴＡ規格、ＳＣＳＩ規格の何れか１又は複数の規格に準拠したものを有していることを特徴とする請求項１〜９のいずれかに記載のＡＶサーバ装置。
【請求項１１】
前記制御部は、前記通信インターフェースを介して接続された前記外部機器から前記コンテンツ記録部に記録された前記コンテン情報と、当該前記コンテンツに係る前記属性情報のリストの提示要求がされた場合、当該外部機器情報に基づき通信インターフェース規格規則情報において受信可能なコンテンツに係る前記リスト情報のみを出力することを特徴とする請求項１〜１０のいずれかに記載のＡＶサーバ装置。
【請求項１２】
請求項１〜１１のいずれかに記載のＡＶサーバ装置をＴＶ受信機に内蔵していることを特徴とするＡＶサーバ内蔵ＴＶ受信機。
【請求項１３】
請求項１〜１１のいずれかに記載のＡＶサーバ装置をパソコンに内蔵していることを特徴とするＡＶサーバ内蔵パソコン。
【発明の詳細な説明】
【技術分野】
【０００１】
本発明は、著作権保護を図りつつ互いに規格の異なる通信インターフェースにそれぞれ接続されたデジタルＡＶ機器同士の間でＡＶコンテンツを送受信するのに用いられるホームネットワークにおけるＡＶサーバ装置およびそのＡＶサーバを内蔵したＡＶサーバ内蔵ＴＶ受信機、ＡＶサーバ内蔵パソコンに関する。
【背景技術】
【０００２】
デジタル放送などのＡＶコンテンツをホームネットワークで扱えるようにするためには、ネットワーク上での著作権保護の仕組みが必要である。デジタル放送は、ＡＲＩＢ（Association of Radio Industries and Businesses）の放送運用既定にてコンテンツ保護規定が定められており、ホームネットワークでデジタル放送も扱えるようにするには、その規格に合わせる必要がある。
【０００３】
デジタルＡＶ機器同士を接続する代表的なデジタルネットワークであるＩＥＥＥ１３９４上で映像データを著作権保護技術を持って記録する際には、ＭＰＥＧ２−ＴＳをリアルタイム伝送するのが通常である。また、ＬＡＮでＨＤＤに記録する際にはストリーミングやファイルでの転送など種々の方法が存在しているが、著作権保護の仕組みが脆弱であった。しかしながら、昨今、ＤＴＣＰ−ＩＰ（Digital Transmission Content Protection over Internet Protocol）と呼ばれる技術が確立され、厳格に著作権保護技術を取り入れてＬＡＮ経由でのストリーミング、ファイルの転送が可能になった。また、家庭内ＬＡＮ(ホームネットワーク)を用いてAV機器やパソコン、情報家電を相互に接続し、連携して利用するための技術仕様であるＤＬＮＡ（Digital Living Network Alliance）が策定されており、ＤＬＮＡ対応機器はネットワークにつなぐだけで自動的に他の機器から利用可能になり、コンテンツを送受信できるようになる。
【０００４】
しかしながら、ＤＬＮＡに対応していない機器では、例えばデジタルＴＶ装置で受信した高画質な映像をＬＡＮ経由でＨＤＤに記録するまでには至っていない。異なるフォーマットのＡＶデータを、著作権保護を図りながら送受信可能にする技術としては、パケット化処理手段で生成されたパケットとＩＰ上の転送プロトコルを用いずにイーサネット（登録商標）化したパケットのいずれかを送信又は受信するようにしたものがある（特許文献１）。
また、昨今ではＩＰ放送でＬＡＮ経由の映像をテレビで視聴することができるようになるが、ＩＰ放送で受信したＭＰＥＧ２−ＴＳを録画する際にも厳格な著作権保護技術を施して記録する技術が確立されていないため、ＩＥＥＥ１３９４経由で記録することが容易にできてしまう。
【特許文献１】特開２００４−１９３７９１号公報
【発明の開示】
【発明が解決しようとする課題】
【０００５】
デジタルＡＶ機器の利用者は、ＬＡＮ経由で録画した映像も、ＩＥＥＥ１３９４経由で録画したデジタル放送も同じように手軽に視聴できることを望んでいる。しかしながら、ＩＥＥＥ１３９４でＨＤＤに記録された映像データは、著作権保護の観点でＩＥＥＥ１３９４を介してのみ出力可能であり、ＬＡＮ経由で録画したコンテンツはＬＡＮ経由でしか視聴することができない。ＩＥＥＥ１３９４とＬＡＮの相互接続性は議論されてきているが、ＩＥＥＥ１３９４にＩＰパケットを、また、ＬＡＮにＩＥＥＥ１３９４パケットを如何にしてカプセル化して通信するかに終始しており、非常に複雑な仕組みとなり実装及び通信の信頼性などの観点から、製品化するのは困難な状況である。
本発明は、このような現状に鑑み、記録手段に一旦記録したコンテンツを、例えば、ＩＥＥＥ１３９４ならばＩＥＥＥ１３９４規格の義務的（Ｍａｎｄａｔｏｒｙ）な機能であるＤＴＣＰによる著作権保護技術をもってアイソクロナス転送し、ＬＡＮならばＬＡＮ規格の規則に則って転送することを可能にする、ホームネットワーク用のＡＶサーバ装置およびそのＡＶサーバを内蔵したＡＶサーバ内蔵ＴＶ受信機、ＡＶサーバ内蔵パソコンを提供することを目的としたものである。
【課題を解決するための手段】
【０００６】
上記の課題を解決するために、本発明の第１の技術手段は、複数の外部機器が接続され、前記外部機器から受信したコンテンツ情報を記録するコンテンツ記録部を備え、前記外部機器からの要求に対し前記記録部に記録されたコンテンツ情報を当該外部機器へ出力するＡＶサーバ装置において、前記外部機器が接続される少なくとも２以上の著作権保護認証機能を有する異なる通信インターフェースを有し、前記外部機器から受信したコンテンツ情報の記録の際に、受信したコンテンツ情報及び当該外部機器情報に基づいて、受信したコンテンツと、少なくとも当該コンテンツの記録元の通信インターフェースの規格情報、著作権保護情報の有無、著作権保護がある場合その認証方法（ＤＲＭ）とを含む属性情報を記録し、前記外部機器からの再生要求に対しては、当該外部機器情報から抽出した通信インターフェースの規格情報、著作権保護の認証方法（ＤＲＭ）と、再生するコンテンツに係る前記属性情報に基づいて再生の可否を判定する制御部を有し、前記両者の通信インターフェースの規格情報において再生出力可能であり、著作権保護がある場合には、さらに著作権保護認証が成功した場合に再生出力することを特徴とする。
【０００７】
第２の技術手段は、第１の技術手段において、コンテンツの送受信の際に、前記制御部からの指示に応じて、受信したコンテンツおよび送信するコンテンツのフォーマットを変換するフォーマット変換部をさらに備えることを特徴とする。
【０００８】
第３の技術手段は、第２の技術手段において、前記フォーマット変換部は、送信するコンテンツを出力要求機器が受信できるフォーマットに変換することを特徴とする。
【０００９】
第４の技術手段は、第２又は３の技術手段において、前記フォーマット変換部は、制御部からの指示に応じて出力先の伝送帯域に合わせてレート変換を行う機能を併せ持っていることを特徴とする。
【００１０】
第５の技術手段は、第１〜４のいずれかの技術手段において、前記２以上の通信インターフェースはＩＥＥＥ１３９４規格及びにＤＬＮＡ規格に準拠したものであることを特徴とする。
【００１３】
第６の技術手段は、第１〜５のいずれかの技術手段において、前記外部機器から受信したコンテンツのフォーマットがＭＰＥＧ２−ＴＳの場合、直接前記コンテンツ記録部に記録することを特徴とする。
【００１４】
第７の技術手段は、第１〜５のいずれかの技術手段において、前記外部機器から受信したコンテンツのフォーマットがＭＰＥＧ２−ＴＳの場合、前記フォーマット変換部において所定のフォーマットに変換してから前記コンテンツ記録部に記録することを特徴とする。
【００１５】
第８の技術手段は、第１〜５のいずれかの技術手段において、前記外部機器から受信したコンテンツのフォーマットがＭＰＥＧ２−ＴＳ以外の場合、直接前記コンテンツ記録部に記録することを特徴とするＡＶサーバ装置。
【００１６】
第９の技術手段は、第１〜５のいずれかの技術手段において、前記外部機器から受信したコンテンツのフォーマットがＭＰＥＧ２−ＴＳ以外の場合は、前記フォーマット変換部において所定のフォーマットに変換してから前記コンテンツ記録部に記録することを特徴とする。
【００１７】
第１０の技術手段は、第１〜９のいずれかの技術手段において、外部機器が接続される通信インターフェースとして、さらにＵＳＢ規格、ＩＤＥ／ＡＴＡ規格、シリアルＡＴＡ規格、ＳＣＳＩ規格の何れか１又は複数の規格に準拠したものを有していることを特徴とする。
【００１８】
第１１の技術手段は、第１〜１０のいずれかの技術手段において、前記制御部は、前記外部機器から前記コンテンツ記録部に記録された前記コンテン情報と、当該前記コンテンツに係る前記属性情報のリストの提示要求がされた場合、当該外部機器情報に基づき通信インターフェース規格規則情報において受信可能なコンテンツに係る前記リスト情報のみを出力することを特徴とする。
【００２５】
第１２の技術手段は、ＡＶサーバ内蔵ＴＶ受信機であって、第１〜１１のいずれかの技術手段のＡＶサーバ装置を内蔵していることを特徴とする。
【００２６】
第１３の技術手段は、ＡＶサーバ内蔵パソコンであって、第１〜１１のいずれかの技術手段のＡＶサーバ装置をパソコンに内蔵していることを特徴とする。
【発明の効果】
【００２７】
本発明によれば、ＴＶ受信機で受信した映像を高品位なままで、ＬＡＮ経由で他の部屋のテレビジョン装置、或いはパーソナルコンピュータで視聴ができる。また、ＬＡＮ経由でパーソナルコンピュータやネットワークから取得してきた映像を既存のＩＥＥＥ１３９４端子のみ持つテレビジョン装置にて新たな端子や機能などを付け加えることなく高品位のまま視聴することができる。
【発明を実施するための最良の形態】
【００２８】
（実施例１）
以下、添付図面を参照しながら、本発明の好適な実施形態について説明する。
図１は、本発明のＡＶサーバ装置の利用形態の例を示す。図１（Ａ）は、ＡＶサーバ装置とデジタルＴＶやパソコン等のホームデジタル情報機器とを各規格のインターフェースに対応した通信ケーブルや無線通信で接続して利用する例を示したもので、コンテンツを記録するＨＤＤを内蔵し、互いに規格の異なる複数の通信インターフェースを備えた本発明のＡＶサーバ装置１０に、ＩＥＥＥ１３９４ケーブルを介してデジタルＴＶ装置１、ＵＳＢケーブルを介してノートパソコン２、ＬＡＮケーブルを介してＬＡＮハブ／無線基地局３がそれぞれ接続され、ＬＡＮハブ／無線基地局３には、ＬＡＮケーブルを介してディスクトップパソコン４、無線ＬＡＮを介してノートパソコン５およびＰＤＡ６がそれぞれ接続されている様子を表している。
【００２９】
ＡＶサーバ装置の他の利用形態としては、図１（Ｂ）に示すように、ＡＶサーバ装置１０をＴＶ受信機に内蔵させ、ＴＶ受信機本体とシリアルＡＴＡで接続してＡＶサーバ内蔵ＴＶ受信機とする形態や、図１（Ｃ）に示すように、ＡＶサーバ装置をパソコンに内蔵させ、パソコン本体とシリアルＡＴＡで接続してＡＶサーバ内蔵パソコンとする形態であってもよい。
【００３０】
本発明は、このような各種のデジタル情報機器との組み合わせにおいて、後述する所定の条件を満たす場合は、例えば、デジタルＴＶ受信機１で受信中のデジタル映像をＡＶサーバ装置１０を介することによりＬＡＮ接続されているディスクトップパソコン４で観ることができるようにするものである。なお、外付けのＨＤＤとしても機能するＡＶサーバ装置１０を独立して利用する形態では、ＴＶチューナを内蔵するようにしてもよい。
【００３１】
図２（Ａ）は、本発明の実施形態に係るＡＶサーバ装置の機能ブロック図を示す。ＡＶサーバ装置１０は、コンテンツ記録部であるＨＤＤ１１と、受信したコンテンツのフォーマットを制御部１６からの指示に応じて所定のフォーマットに変換するフォーマット変換部１２-１と、送信するコンテンツのフォーマットを制御部１６からの指示に応じて所定のフォーマットに変換するフォーマット変換部１２−２と、ＮＩＣ１３−１にＤＴＣＰ−ＩＰチップ１３−２組み込んで構成されＬＡＮに準拠した通信インターフェース１３と、ＩＥＥＥ１３９４規格の通信インターフェース１４と、ＰＣなどの外部機器を直接ＨＤＤ１１に接続するためのＵＳＢインターフェース１５と、ＣＰＵ（中央演算処理部）１６とを含んで構成される。また、ＡＶサーバ装置１０は、各通信インターフェース１３、１４、１５にそれぞれ対応したＬＡＮ端子１７、ＩＥＥＥ１３９４端子１８、ＵＳＢ端子１９を備えている。なお、本実施形態では、各通信インターフェースとそれに対応した端子はそれぞれ１つになっているが、同じものを複数備えるようにしても良い。また、ＨＤＤ１１に直接接続するためのインターフェースとしては、ＵＳＢの他に、ＰＬＣ（Power Line Communications：高速電力通信）、家電向けに策定された無線通信規格であるＺｉｇＢｅｅ（ジグビー）、有線ＬＡＮ、赤外線、ＨＤＭＩ、ＰＣＩ、ＳＣＡＳＩ、ＳＡＴＡ、ＡＴＡなどに対応したものであっても良い。
また、通信インターフェース１３はＤＬＮＡに対応したものであっても良い。
【００３２】
上述のように構成されたＡＶサーバ装置１０は、ＬＡＮ端子１７、ＩＥＥＥ１３９４端子１８、ＵＳＢ端子１９に接続された各種のデジタル情報機器からの要求があると、その要求に対応した動作を開始する。
【００３３】
フォーマット変換部１２−２は、再生出力するコンテンツを転送先のクライアント機器が再生可能なフォーマットに変換するもので、本実施形態では、フォーマット変換部１２-１およびフォーマット変換部１２−２に、転送先機器のデコード能力や伝送路の使用可能帯域に応じて伝送レート変換する機能も備えている。なお、フォーマット変換部は見易くするために再生出力側と受信側で別々に描いているが、両者は共通のものであっても良い。また、フォーマット変換部に、ＵＳＢを介してＰＣから取り込んだＭＰＥＧ４のコンテンツをＭＰＥＧ２に変換する際の時間情報を付加するためのタイムカウンタを備えるようにしても良い。
【００３４】
ＬＡＮの規格に準拠した通信インターフェース１３は、ＮＩＣ１３−１およびＤＴＣＰ−ＩＰモジュール１３−２を備え、ＩＥＥＥ１３９４経由でＨＤＤ１１に記録したコンテンツが再生出力される場合に、ＤＴＣＰ−ＩＰの各規格に合うように暗号化等のデータ変換処理が行われる。
【００３５】
ＣＰＵ（中央演算処理装置）１６は、外部機器から要求指示があると、コンテンツデータをＨＤＤ１１に記録する際の処理やＨＤＤ１１に記録されたコンテンツを再生出力する際の処理を実行するための各プログラムにしたがって、一連の処理・命令を実行する。各プログラムは図示しないＲＯＭやフラッシュメモリに記憶されている。
【００３６】
図２（Ｂ）は、前記フォーマット変換部１２−１（１２−２）におけるスルーの切換えに関する説明図であり、３個の切換えスイッチ１２ａ，１２ｂおよび１２ｃが入出側およびその間に図のように設けられており、制御部１６からの指示により、フォーマット変換を行う場合とスルーの場合、あるいはレート変換を行う場合と行わない場合の切換え制御が行われる。例えば、通信インターフェース１４（ＩＥＥＥ１３９４）により受信したコンテンツのフォーマットがＭＰＥＧ２−ＴＳの場合のように直接ＨＤＤ１１に書き込めるケースでは、切換えスイッチ１２ａは端子１２ａ２側に、切換えスイッチ１２ｂのフォーマット変換側は端子１２ｂ２側にそれぞれ切換えられ、また、受信の場合は、レート変換は行われないので切換えスイッチ１２ｂのレート変換側は端子１２ｂ４側に、切換えスイッチ１２ｃは端子１２ｃ２側にそれぞれ切換えられる。また、再生出力の場合、レート変換とフォーマットを変換が行われる場合は、切換えスイッチ１２ｃは端子１２ｃ１に、切換えスイッチ１２ｂのレート変換側は端子１２ｂ３側に、フォーマット変換側は１２ｂ１に、切換えスイッチ１２ａは端子１２ａ１側にそれぞれ切換えられる。
【００３７】
図２（Ｃ）は、前記ＤＴＣＰ−ＩＰ１３−２におけるスルーの切換えに関する説明図であり、入出力側にそれぞれ切換えスイッチ１３ａ，１３ｂが設けられており、制御部１６の指示により、ＤＴＣＰ−ＩＰの認証を必要とする場合は、切換えスイッチ１３ａ，１３ｂはそれぞれ端子１３ａ１側、１３ｂ１側に切換えられ、ＤＴＣＰ−ＩＰの認証を必要としない場合は、切換えスイッチ１３ａ，１３ｂはそれぞれ端子１３ａ２側、１３ｂ２側に切換えられ、スルーとなる。
【００３８】
コンテンツのＨＤＤ１１への記録は、例えば図３（Ａ）に示すように記録元に応じてディレクトリが振り分けられる。ＵＳＢＰＣからのコンテンツは「ｆｉｌｅ１」として記録される。図３（Ｂ）はＨＤＤに記録する際に記録元に応じて記録する領域を振り分ける例を示す。
【００３９】
インターフェースを介して接続された外部機器から入力されるコンテンツが受信され、ＨＤＤに記録される際の、コンテンツのリスト情報に付加される属性情報としては、例えば、図４に示すように、コンテンツのファイル名の他に、記録元インターフェースの種類（ＩＥＥＥ１３９４、ＬＡＮなど）、コンテンツのフォーマット情報（ＭＰＥＧ２−ＴＳ、ＭＰＥＧ４、ＭＰＥＧ２−ＰＳ、ＭＰＥＧ４など）、著作権保護情報（コピー可、コピー不可、１回だけコピー可など）、著作権保護の認証方法（ＤＴＣＰ、ＤＴＣＰ−ＩＰなどのＤＲＭ（Ｄｉｇｉｔａｌ  Ｒｉｇｈt  Ｍａｎａｇｅｍｅｎｔ））が採用される。これらの属性情報は、インターフェースを介して記録元の上記外部機器から受信するコンテン情報および機器情報から抽出される。
【００４０】
図５は、インターフェースを介して接続された外部機器からコンテンツ記録部に記録されたコンテンツの再生要求があった場合の再生出力の態様を示している。記録部に記録されたコンテンツの属性情報と、上記外部機器の機器情報から抽出される出力先インターフェースの種類、ＤＲＭから、再生出力の可否を判断する例を、ＩＥＥＥ１３９４とＬＡＮ（認証がＤＴＣＰ−ＩＰに準拠）の場合の例を示す。
例えば、記録元および出力先が共にＩＥＥＥ１３９４でＤＴＣＰの認証が「あり」の場合は、著作権保護情報に関係なくすべて「出力可」になる。記録元および出力先が共にＩＥＥＥ１３９４であっても、ＤＴＣＰの認証が「なし」の場合は、著作権保護情報がフリーの場合のみ「出力可」になる。
また、記録元がＩＥＥＥ１３９４で出力先がＬＡＮ、ＤＴＣＰ−ＩＰの認証が「あり」の場合は、著作権保護情報に関係なくすべて「出力可」になる。記録元がＩＥＥＥ１３９４で出力先がＬＡＮ、ＤＴＣＰ−ＩＰの認証が「なし」の場合は、著作権保護情報が「フリー」場合のみ「出力可」となる。このケースは、現時点のＩＥＥＥ１３９４の規格では明確になっていないが、著作権保護情報のないフリーのコンテンツについては転送しても問題はないので「出力可」としている。
また、記録元および出力先が共にＬＡＮで、ＤＴＣＰ−ＩＰの認証が「なし」の場合も同様に、著作権保護情報が「フリー」場合のみ「出力可」としている。
【００４１】
図６は、再生時の処理についての一例を示すフローチャートである。本装置に接続されている外部機器から、あるコンテンツの再生要求があると、先ず、ステップＳ１で、ＨＤＤ１１に記録されているそのコンテンツの属性情報に基づいて、そのコンテンツの記録元通信インターフェースの規則では、それを再生出力する通信インターフェースでそのコンテンツを送信することを許可しているか否か、ＤＴＣＰ-ＩＰなどのＤＲＭの認証の有無などから判定する。例えば、記録元がＩＥＥＥ１３９４で再生出力する通信インターフェースもＩＥＥＥ１３９４の場合は送信が禁止されていないので「出力可」と判定される（Ｓ１／Ｙ）。これに対し、再生出力する通信インターフェースの規格、例えばＩＥＥＥ１３９４ではそのコンテンツの送信が禁止されていたり、あるいは、その通信インターフェースが未知のものであったりした場合は「不可」と判定され（Ｓ１／Ｎ）、そのコンテンツの再生出力は行われない。
【００４２】
その通信インターフェースで送信できる可能性のあるコンテンツの場合はステップＳ２に進み、同じくその属性情報からそのコンテンツにおける著作権保護情報の有無をしらべ、著作権保護がある場合（Ｓ２／Ｙ）は、ステップＳ３で著作権保護の認証を行い、ステップＳ４に進む。ステップＳ４で著作権保護の認証に成功し、コンテンツの出力が可能と判定されると（Ｓ４／Ｙ）、ステップＳ５に進む。ステップＳ４で著作権保護の認証に失敗したり何らかの理由によりコンテンツの出力が不可能な場合は（Ｓ４／Ｎ）、コンテンツの再生出力は行われない。
【００４３】
コンテンツの出力が可能な場合は（Ｓ４／Ｙ）、ステップＳ５で、そのコンテンツが再生要求機器で受信可能なフォーマットに変換できるか否かをしらべ、変換できる場合は(Ｓ５／Ｙ)、ステップＳ６でコンテンツのフォーマット変換を行う。ステップＳ５で、再生要求機器で受信可能なフォーマットに変換できない場合は（Ｓ／Ｎ）、コンテンツの再生出力は行われない。
【００４４】
ステップＳ６でコンテンツのフォーマット変換を行った後、ステップＳ７で、コンテンツを出力するインターフェースの伝送帯域が十分にあるか否かを判定し、伝送帯域が十分にある場合は（Ｓ７／Ｙ）、そのままコンテンツの再生出力を行う。伝送帯域が不十分な場合は（Ｓ７／Ｎ）、ステップＳ８でコンテンツの出力レートを変更できるか否かを判定し、変更できる場合は（Ｓ８／Ｙ）、ステップＳ９で伝送帯域に合わせて出力レート変更を実行し、コンテンツの再生出力を行う。ステップＳ８で、コンテンツの出力レートを変更できない場合は、コンテンツの再生出力は行われない。
【００４５】
図７は、録画時の処理についての一例を示すフローチャートである。本装置に接続されている外部機器からの録画要求があると、ステップＳ１１で録画するコンテンツに著作権保護が有るか否かをしらべ、著作権保護が有る場合は（Ｓ１１／Ｙ）、ステップＳ１２で著作権保護の認証を行い、認証に成功し、コンテンツの録画が可能であると判定されると（Ｓ１３／Ｙ）、ステップＳ１４に進み、録画元より録画領域（又はディレクトリ）を選択して録画を開始する。ステップＳ１３において、認証に成功しない場合やコンテンツの録画が不可能な場合は（Ｓ１３／Ｎ）、コンテンツの録画を行わない。
【００４６】
コンテンツの録画が開始されると、ステップＳ１５で、ＨＤＤ１１に記録されているコンテンツのリスト情報に録画開始したコンテンツのタイトル情報として、タイトル、録画領域（録画したディレクトリなど）、各種情報（記録元、フォーマット、著作権保護情報、録画開始時間など）を追加する。要求機器から録画停止要求があると録画を停止し（Ｓ１６）、ステップＳ１７でタイトル情報に録画終了時刻、コンテンツの容量（記録時間）などを記録し、処理を終了する。
【００４７】
図８は、ＨＤＤ１１に記録されているコンテンツのリスト提供時における処理の一例を示すフローチャートである。外部機器からコンテンツリストの要求があると、ステップＳ２１で、ＨＤＤ１１から、例えば、上述した属性情報を含むコンテンツのリスト情報を取得してコンテンツリストを生成し、ステップＳ２２に進んで、リストを要求している外部機器がＩＥＥＥ１３９４を記録元とするコンテンツを再生しても良い機器か否かを判定する。再生しても良い機器であると判定されると（Ｓ２２／Ｙ)、ステップＳ２３で、さらにその外部機器がＬＡＮを記録元とするコンテンツを再生しても良い機器か否かを判定する。ステップＳ２２で、コンテンツリストの提示を要求している外部機器がＩＥＥＥ１３９４を記録元とするコンテンツを再生することが許可されていない機器であると判定された場合（Ｓ２２／Ｎ）、ステップＳ２４で、提供用リストからＩＥＥＥ１３９４を記録元とするタイトル情報を削除してからステップＳ２３に進む。また、ステップＳ２３で、コンテンツリストの提示を要求している外部機器がＬＡＮを記録元とするコンテンツを再生することが許可されていない機器であると判定された場合（Ｓ２３／Ｎ）、ステップＳ２５で、提供用リストからＬＡＮを記録元とするタイトル情報を削除してステップＳ２６に進む。ステップＳ２６で、提供できないコンテンツのタイトル情報を削除した外部提供用のコンテンツリストを取得し、そのコンテンツリストを要求機器に提供し、処理を終了する。
【００４８】
図９は、再生の可否を再生要求側で判断する場合におけるリスト提供時のフローチャートを示したもので、この場合は、外部機器からコンテンツリストの提示要求があると、ＨＤＤ１１からコンテンツリスト情報を取得し（ステップＳ３１）、要求機器に対し、全てのタイトル情報を含むコンテンツリスト情報を提供する処理となる。
【００４９】
図１０は、外部に提供するコンテンツリストの例を示す図であり、記録元がＬＡＮのコンテンツは再生できるがＩＥＥＥ１３９４のコンテンツは再生できない場合を示している。すなわち、削除前のオリジナルのコンテンツリストから、記録元がＩＥＥＥ１３９４のタイトル情報を削除して、外部に提供可能なコンテンツリスト情報を再生成する。
【００５０】
以上に説明した実施形態は、コンテンツがファイルとしてＨＤＤに記録されている例を示したが、本発明は、コンテンツをストリーミングとして送受信する場合のものも含むことは言うまでもない。
【００５１】
なお、本発明のＡＶサーバにおける記録手段としては、ＨＤＤに限らず、フラッシュメモリ等の半導体メモリであってもよい。
【図面の簡単な説明】
【００５２】
【図１（Ａ）】本発明のＡＶサーバ装置を用いたホームネットワーク転送システムの一例を示す図である。
【図１（Ｂ）】ＡＶサーバ装置をＴＶ受信機に内蔵させてＡＶサーバ内蔵ＴＶ受信機とした利用形態を示す図である。
【図１（Ｃ）】ＡＶサーバ装置をパソコンに内蔵させてＡＶサーバ内蔵パソコンとした利用形態を示す図である。
【図２（Ａ）】本発明の実施形態に係るサーバの基本構成を示すブロック図である。
【図２（Ｂ）】フォーマット変換部におけるスルーの切換えに関する説明図である。
【図２（Ｃ）】ＤＴＣＰ−ＩＰにおけるスルーの切換えに関する説明図である。
【図３】ＨＤＤに記録されたコンテンツの記録形態を示す図である。
【図４】コンテンツのリスト情報に付加される属性情報の一例を示す図である。
【図５】コンテンツの属性情報と出力先インターフェースの種類から、ＤＴＣＰに準拠した再生出力の可否を判断するための条件についての例を示す説明図である。
【図６】再生時の処理についての一例を示すフローチャートである。
【図７】録画時の処理についての一例を示すフローチャートである。
【図８】ＨＤＤに記録されているコンテンツのリスト提供時の処理についての一例を示すフローチャートである。
【図９】再生出力の可否を、要求クライアント側で判断するようにした場合のリスト提供時のフローチャートである。
【図１０】外部に提供するコンテンツリストの例を示す図である。
【符号の説明】
【００５３】
１０…サーバ、１１…ＨＤＤ、１２−１，１２−２…フォーマット変換部、１２ａ，１２ｂ，１２ｃ…切換えスイッチ、１３…通信インターフェース（ＬＡＮ）、１３−１…ＮＩＣ、１３−２…ＤＴＣＰ−ＩＰチップ、１３ａ，１３ｂ…切換えスイッチ、１４…通信インターフェース（ＩＥＥＥ１３９４）、１５…通信インターフェース（ＵＳＢ）、１６…ＣＰＵ、１７…ＬＡＮ端子、１８…ＩＥＥＥ１３９４端子、１９…ＵＳＢ端子。
【図１（Ａ）】
0004344811.tif 000002
【図１（Ｂ）】
0004344811.tif 000003
【図１（Ｃ）】
0004344811.tif 000004
【図２（Ａ）】
0004344811.tif 000005
【図２（Ｂ）】
0004344811.tif 000006
【図２（Ｃ）】
0004344811.tif 000007
【図３】
0004344811.tif 000008
【図４】
0004344811.tif 000009
【図５】
0004344811.tif 000010
【図６】
0004344811.tif 000011
【図７】
0004344811.tif 000012
【図８】
0004344811.tif 000013
【図９】
0004344811.tif 000014
【図１０】
0004344811.tif 000015